(57)【要約】【課題】ブラインド支持枠のブラケットへの半掛り状態での保持を防止することができるブラインド取付用ブラケットを提供する。【解決手段】ブラケット本体２０にはブラインド支持枠４０の一端部４０ａを係止可能な係止部２２ｃが形成され、掛止部材３０にはブラインド支持枠４０の他端部４０ｃを係止可能な掛止部３０ａが形成され、掛止部材３０には、ブラインド支持枠４０の一端部４０ａに干渉可能であり、ブラインド支持枠４０の一端部４０ａがブラケット本体２０の係止部２２ｃに係止されるまで、掛止部３０ａがブラインド支持枠４０の他端部４０ｃを係止可能な位置への掛止部材３０の移動を規制する規制部３０ｇが形成されている。【選択図】図１
2014109104.tif 000002
【特許請求の範囲】
【請求項１】
ブラケット本体（２０）と、ブラケット本体に摺動可能に支持されてブラケット本体と共にブラインド支持枠（４０）を保持する掛止部材（３０）と、を有するブラインド用ブラケット（１０）において、
ブラケット本体にはブラインド支持枠の一端部（４０ａ）を係止可能な係止部（２２ｃ）が形成され、掛止部材にはブラインド支持枠の他端部（４０ｃ）を係止可能な掛止部（３０ａ）が形成され、
掛止部材には、ブラインド支持枠の一端部に干渉可能であり、ブラインド支持枠の一端部がブラケット本体の係止部に係止されるまで、掛止部がブラインド支持枠の他端部を係止可能な位置への掛止部材の移動を規制する規制部（３０ｇ）が形成されていることを特徴とするブラインド取付用ブラケット。
【請求項２】
掛止部材は、規制部から連続して形成される凹部（３０ｈ）を有し、ブラインド支持枠の一端部が凹部に入り込むことにより、ブラインド支持枠の他端部が掛止部に係止されることを特徴とする請求項１記載のブラインド取付用ブラケット。
【請求項３】
ブラインド支持枠の一端部は、ブラケット本体の係止部に係止された状態で、ブラケット本体の係止部と掛止部材の規制部とにより、または、ブラケット本体の係止部と掛止部材の凹部とによって、前後方向への移動が規制されることを特徴とする請求項１または２記載のブラインド取付用ブラケット。
【請求項４】
掛止部材は、ブラインド支持枠の一端部が規制部を押圧すると、掛止部がブラインド支持枠の他端部から離れる方向に移動し、ブラインド支持枠が保持位置に達すると、掛止部がブラインド支持枠の他端部を係止する方向へ移動することを特徴とする請求項１ないし３のいずれか１項に記載のブラインド取付用ブラケット。
【発明の詳細な説明】
【技術分野】
【０００１】
本発明は、ブラインド支持枠を保持するブラインド取付用ブラケットに関する。
【背景技術】
【０００２】
従来のブラインド取付用ブラケットとしては、特許文献１に示されるものが知られている。これに示されるものは、ホルダーに対しスライドブロックを移動可能に支持し、ホルダーとスライドブロックとにそれぞれ設けられた掛止部で日射遮蔽装置の支持形材（ブラインド支持枠）を支持可能とし、ホルダーとスライドブロックとの間には、スライドブロックを支持形材の支持位置に向かって付勢する付勢手段と、スライドブロックを付勢手段の付勢力に抗して支持形材と係合しない仮止め位置に保持する仮止め手段と、仮止め手段の動作を解除する解除手段とを備えている。
【０００３】
仮止め手段は、ホルダーに設けた係止孔と、スライドブロックに設けた弾性片と、弾性片の先端部に設けられ、係止孔に弾性的に係合する仮止め部と、を備え、解除手段は弾性片の先端部に設けられ、支持形材で押圧することにより仮止め部と係止孔との係合を解除する解除部を備え、解除部はホルダーに係合しない位置に設けられている。
【０００４】
ブラケットに支持形材を取付ける際には、仮止め部を係止穴に予め係合させてスライドブロックをホルダーに仮止めしておき、支持形材の一端部をホルダーの掛止部に掛け止めした状態で、他端部を上方へ回動させて解除部を押圧する。これにより、仮止め部と係合孔との係合が解除され、スライドブロックが付勢手段の付勢力により支持形材の他端部方向に摺動して、支持形材の他端部がスライドブロックの掛止部に掛止めされ、支持形材がブラケットに取付けられる。
【０００５】
また、ホルダーには支持形材の横ずれを阻止する押さえ部が形成されており、押さえ部は掛止部に対向する斜縁を備え、その下端部が下方に突出している。
【先行技術文献】
【特許文献】
【０００６】
【特許文献１】特開２００６−２４９８８０号公報
【発明の概要】
【発明が解決しようとする課題】
【０００７】
以上のようなブラインド取付用ブラケットにおいては、誤った取付けを行うと、支持形材が正しく取付けられないおそれがある、という問題がある。即ち、前述のように、取付ける手順としては、最初に、支持形材の一端部をホルダーの掛止部に正しく掛け止めしなければならないのであるが、支持形材の一端部がホルダーの掛止部に正しく掛け止されない場合であっても、下方に突出している押さえ部によって支持部材の上方への移動が規制されるために、掛止部に掛け止めされていないことが正しく認識されないおそれがある。そして、支持形材の他端部を上方へ回動させて、支持形材の他端部を掛止部に掛け止めすると、付勢手段によってスライドブロックが摺動し、支持形材を一端部方向へ押し込むことになるため、半掛りのような状態で支持形材がブラケットに保持され、あたかも支持形材はブラインド取付用ブラケットに取付いたかのようになる。しかしながら、正しく取付いている訳ではないので、その後に、支持形材がブラインド取付用ブラケットから落下する可能性がある。
【０００８】
本発明は、かかる課題に鑑みなされたもので、ブラインド支持枠のブラケットへの半掛り状態での保持を防止することができるブラインド取付用ブラケットを提供することをその目的とする。
【課題を解決するための手段】
【０００９】
前述した目的を達成するために、請求項１記載の発明は、ブラケット本体と、ブラケット本体に摺動可能に支持されてブラケット本体と共にブラインド支持枠を保持する掛止部材と、を有するブラインド用ブラケットにおいて、
ブラケット本体にはブラインド支持枠の一端部を係止可能な係止部が形成され、掛止部材にはブラインド支持枠の他端部を係止可能な掛止部が形成され、
掛止部材には、ブラインド支持枠の一端部に干渉可能であり、ブラインド支持枠の一端部がブラケット本体の係止部に係止されるまで、掛止部がブラインド支持枠の他端部を係止可能な位置への掛止部材の移動を規制する規制部が形成されていることを特徴とする。
【００１０】
請求項２記載の発明は、請求項１記載の発明において、掛止部材は、規制部から連続して形成される凹部を有し、ブラインド支持枠の一端部が凹部に入り込むことにより、ブラインド支持枠の他端部が掛止部に係止されることを特徴とする。
【００１１】
請求項３記載の発明は、請求項１または２記載の発明において、ブラインド支持枠の一端部は、ブラケット本体の係止部に係止された状態で、ブラケット本体の係止部と掛止部材の規制部とにより、または、ブラケット本体の係止部と掛止部材の凹部とによって、前後方向への移動が規制されることを特徴とする。
【００１２】
請求項４記載の発明は、請求項１ないし３のいずれか１項に記載の発明において、掛止部材は、ブラインド支持枠の一端部が規制部を押圧すると、掛止部がブラインド支持枠の他端部から離れる方向に移動し、ブラインド支持枠が保持位置に達すると、掛止部がブラインド支持枠の他端部を係止する方向へ移動することを特徴とする。
【発明の効果】
【００１３】
本発明によれば、ブラインド支持枠の一端部がブラインド本体の係止部に係止されない限りはブラインド支持枠の一端部と規制部との干渉によって、掛止部材はブラインド支持枠の他端部を係止できない位置にあるため、ブラインド支持枠の半掛り状態での保持を防止することができる。
【００１４】
さらに、ブラインド支持枠の一端部は係止されると、ブラケット本体の係止部と掛止部材の規制部とによって、または、ブラケット本体の係止部と掛止部材の凹部とによって、前後方向への移動が規制されるため、ブラインド支持枠の落下を確実に防止することができる。
【図面の簡単な説明】
【００１５】
【図１】本発明の実施形態に係るブラケットにヘッドボックスを保持した状態を示す側面図である。
【図２】ブラケットの底面図であり、（ａ）はヘッドボックスを保持する前の状態を、（ｂ）はヘッドボックスを保持した状態をそれぞれ示し、説明のため緩衝部材を省略する。
【図３】ブラケットにヘッドボックスを取付ける手順を示す側断面図であり、（ａ）はブラケット本体の係止部にヘッドボックスの一端部を引っ掛けた状態を、（ｂ）はヘッドボックスの他端部側を上方に押し上げている状態を、（ｃ）はヘッドボックスの他端部が掛止部材の掛止部を乗り越える状態を、（ｄ）はブラケットにヘッドボックスが保持された状態を、それぞれ示す。
【図４】ブラケットにヘッドボックスが保持された状態におけるヘッドボックスの一端部とブラケットの状態を示す側断面図である。
【図５】（ａ）は本発明の実施の形態に係るブラケットにおいて、ブラケット本体の係止部にヘッドボックスの一端部が係止されていない状態で、ヘッドボックスの他端部を最上部まで上昇させた状態を示し、（ｂ）は従来技術におけるブラケットにおいて、ブラケット本体の係止部にヘッドボックスの一端部が係止されていない状態で、ヘッドボックスの他端部を掛止部材の掛止部に係止させた状態を示す。
【発明を実施するための形態】
【００１６】
以下、図面に基づいて本発明の実施の形態を説明する。
【００１７】
本発明のブラインド取付用ブラケット１０は、図示していない窓枠等の固定面に固定されるブラケット本体２０と、ブラケット本体２０に摺動可能に支持されてブラケット本体２０と共にヘッドボックス４０を保持する掛止部材３０と、ブラケット本体２０と掛止部材３０との間に配設されるばね３２と、を有する。
【００１８】
尚、ブラインド支持枠としてのヘッドボックス４０は、上側が開口したコ字状をなした横断面において前側と後側の上端部がそれぞれ一端部４０ａと他端部４０ｃとなっており、ブラインド取付用ブラケット１０に保持させるのに好適なように、各端部４０ａ、４０ｃは例えば略Ｔ字形状をなしている。
【００１９】
ブラケット本体２０は、好適には金属製板材からなり、おおまかに、主として前後に延びる水平面２２ａを有する水平部２２と、主として上下に延びる垂直面２４ａを有する垂直部２４とからなる断面略Ｌ字形の形状を有しており、通常、垂直部２４が後側に配置される。水平面２２ａと垂直面２４ａには、窓枠等の固定面に対してネジ等の固定具を用いて取付るための取付孔がそれぞれ形成されている。
【００２０】
水平部２２はさらに、水平面２２ａの両側から下方に折曲された折曲縁２２ｂ、２２ｂと、折曲縁２２ｂの最前端の下端からフック形状に延びてヘッドボックス４０の一端部４０ａを係止可能な係止部２２ｃと、折曲縁２２ｂの前後途中部分において折曲縁２２ｂの下端からさらに折曲されて水平に延びる支持片２２ｄと、折曲縁２２ｂの前後途中部分に形成されて前後方向に延びるスロット２２ｅと、折曲縁２２ｂの下端からさらに下方に突出する第１突起２２ｆと、同じく折曲縁２２ｂの下端からさらに下方に突出する第２突起２２ｇと、をそれぞれ備えている。第１突起２２ｆは前方に、第２突起２２ｇは後方に形成される。
【００２１】
垂直部２４はさらに、垂直面２４ａの両側から前方へと折曲された折曲縁２４ｂ、２４ｂと、垂直面２４ａの上下途中位置から前方へと水平に延びる支持片２４ｃと、を備えており、垂直面２４ａの下端部にはヘッドボックス４０の背面４０ｄに当接する緩衝部材２６が取付けられている。
【００２２】
掛止部材３０は、好適にはプラスチックの成形品からなり、ブラケット本体２０の水平部２２の下方に沿って配設され、前記水平部２２の支持片２２ｄ及び前記垂直部２４の支持片２４ｃの上に前後方向に摺動可能に載置される。掛止部材３０の両側部には弾性片３０ｄが形成され、弾性片３０ｄの先端には抜け止め突起３０ｅが形成されており、抜け止め突起３０ｅはブラケット本体２０の水平部２２のスロット２２ｅ内に摺動可能に係合している。
【００２３】
掛止部材３０はさらに、その後部にヘッドボックス４０の他端部４０ｃを係止するために前方に突出した掛止部３０ａと、掛止部材３０の前端面を画成しやや下方へ延設された操作部３０ｂと、後部に形成されて、ばね３２の一部を収納可能な収納凹部３０ｆと、操作部３０ｂよりも後側にあって下方に突出した規制部３０ｇと、規制部３０ｇから前方に連続して形成され規制部３０ｇと操作部３０ｂとの間に設けられる凹部３０ｈとを備える。
【００２４】
前方に突出した掛止部３０ａは、その前面に傾斜面３０ａ１を有しており、傾斜面３０ａ１は、上方に向かうに従い前方に突出するように形成される。下方に突出した規制部３０ｇも、その前面に鉛直のまたは傾斜面３０ａ１と同様の方向にやや傾斜した被押圧面３０ｇ１を有している。
【００２５】
ブラケット１０は、以下のようにブラケット本体２０と掛止部材３０とを組み付けることにより構成される。即ち、掛止部材３０の収納凹部３０ｆにばね３２の一端側を収納して、掛止部材３０を支持片２２ｄ及び支持片２４ｃに支持させるようにブラケット本体２０の水平部２２の水平面２２ａと折曲縁２２ｂとによって囲まれた空間に挿入する。このとき、掛止部材３０は弾性片３０ｄが弾性変形し、抜け止め突起３０ｅが折曲縁２２ｂに当接しながら摺動する。そして、抜け止め突起３０ｅがスロット２２ｅまで移動すると、弾性片３０ｄの弾性復元力により、抜け止め突起３０ｅがスロット２２ｅ内に係合される。これにより、掛止部材３０は、抜け止め突起３０ｅがスロット２２ｅを移動可能な範囲でのみ摺動可能になり、摺動範囲が規定されるとともに、ブラケット本体２０から抜け止めされる。また、ばね３２の他端がブラケット本体２０の垂直部２４に当接するため、掛止部材３０は、ばね３２によって抜け止め突起３０ｅがスロット２２ｅの前端に当接する位置まで付勢される（図２（ｂ）参照）。
【００２６】
このように構成されたブラケット１０にヘッドボックス４０を固定する手順について図３に従って説明する。
【００２７】
図３（ａ）に示すように、まず、ヘッドボックス４０の一端部４０ａが上方に他端部４０ｃが下方に位置するようにヘッドボックス４０を傾けて、一端部４０ａをブラケット本体２０の係止部２２ｃに引っ掛ける。
【００２８】
次に、図３（ｂ）に示すように、他端部４０ｃを上昇させるようにヘッドボックス４０を回動させる。これにより、ヘッドボックス４０の一端部４０ａの後端部４０ｂ、即ち、ヘッドボックス４０のＴ字形状をなした一端部４０ａの後側に突出した部分が掛止部材３０の規制部３０ｇの被押圧面３０ｇ１に当接するとともに他端部４０ｃが掛止部３０ａの傾斜面３０ａ１に当接する。他端部４０ｃをさらに上昇させていくと、他端部４０ｃは掛止部３０ａの傾斜面３０ａ１を押圧し続けていき、掛止部材３０はばね３２の付勢力に抗してばね３２を圧縮しながら後方に摺動する。これによって、一端部４０ａの後端部４０ｂは規制部３０ｇの被押圧面３０ｇ１から離隔していくことになる。
【００２９】
そして、図３（ｃ）に示すように、ヘッドボックス４０の他端部４０ｃが掛止部３０ａを乗り越える直前の位置まで上昇すると、図２（ａ）に示すように、掛止部材３０は最も後方に移動し、規制部３０ｇは一端部４０ａの後端部４０ｂから最も離隔する。
【００３０】
この後、他端部４０ｃがさらに上昇すると、図３（ｄ）に示すように、ヘッドボックス４０の他端部４０ｃが掛止部３０ａの傾斜面３０ａ１を通り越し、掛止部３０ａへの押圧力が解除されるため、ばね３２が伸長し、掛止部材３０は、図２（ｂ）に示すように、ばね３２の付勢力により前進する。これにより、ヘッドボックス４０の他端部４０ｃは掛止部３０ａに係止され、このとき、操作者は係止感を感じることができる。同時に、ヘッドボックス４０の一端部４０ａは、図４に示すように、掛止部材３０の凹部３０ｈに入り込んで凹部３０ｈに収まり、図４中矢印Ａで示した部分において、ヘッドボックス４０の一端部４０ａの後端部４０ｂが凹部３０ｈの後端面でもある規制部３０ｇの被押圧面３０ｇ１に当接し、ヘッドボックス４０が保持された状態となる。
【００３１】
この保持状態において、ヘッドボックス４０の他端部４０ｃは掛止部材３０の掛止部３０ａとブラケット本体２０の第２突起２２ｇとにより前後方向への移動が規制され、また、一端部４０ａは、ブラケット本体２０の係止部２２ｃと規制部３０ｇの被押圧面３０ｇ１または凹部３０ｈの後端面により前後及び下方向への移動が、また第１突起２２ｆにより上方への移動がそれぞれ規制される。
【００３２】
ヘッドボックス４０をブラケット１０から取り外す際には、掛止部材の操作部３０ｂを押圧して掛止部材３０をばね３２の付勢力に抗して最も後方の位置まで摺動させる。これにより、ヘッドボックス４０の他端部４０ｃが掛止部材３０の掛止部３０ａから外れるため、ヘッドボックス４０の他端部４０ｃを下降させるようにヘッドボックス４０を回動させ、さらに、一端部４０ａもブラケット本体２０の係止部２２ｃから外す。こうして、ヘッドボックス４０をブラケット１０から取り外すことができる。
【００３３】
ここで、ヘッドボックス４０の一端部４０ａがブラケット本体２０の係止部２２ｃに係止されないまま取付作業を続行した場合のブラケットとヘッドボックスの状態について、本実施形態のブラケット１０の場合と従来のブラケット６０の場合とを図５（ａ）、（ｂ）を用いて比較して説明する。
【００３４】
従来のブラケット６０の場合、図５（ｂ）に示すように、掛止部材７０に本実施の形態のような規制部３０ｇや凹部３０ｈが設けられていないため、ヘッドボックス４０の一端部４０ａがブラケット本体２０の係止部２２ｃに係止されていない状態で他端部４０ｃを上端部まで上昇させた場合でも、掛止部材７０の前進を防止することができない。このため、掛止部材７０が前進し、掛止部７０ａにヘッドボックス４０の他端部４０ｃが係止される。この係止時に操作者は係止感を感じることができ、あたかもヘッドボックス４０は保持されているかのような状態になる。しかしながら、ヘッドボックス４０の一端部４０ａは係止部２２ｃに係止されていない状態のままであるため、他端部４０ｃのみが係止された半掛り状態となり、何かのはずみにブラケット６０からヘッドボックス４０が落下する危険がある。
【００３５】
一方、本実施形態のブラケット１０の場合、図５（ａ）に示すように、ヘッドボックス４０の一端部４０ａがブラケット本体２０の係止部２２ｃに係止されていない状態で他端部４０ｃを上端部まで上昇させると、一端部４０ａが規制部３０ｇと干渉し、一端部４０ａの後端部４０ｂが掛止部材３０の凹部３０ｈの後端面でもある規制部３０ｇの被押圧面３０ｇ１を押圧することになるため、掛止部材３０は最も後方に位置した状態のまま前進することができない。従って、掛止部３０ａが他端部４０ｃよりも後方に位置したままとなり、他端部４０ｃが掛止部３０ａに係止することができない。これにより操作者は係止感を感じることもできず、半掛り状態でブラケット１０がヘッドボックス４０を保持するということも防止される。
【００３６】
尚、上記実施形態においては、掛止部材３０の掛止部３０ａにヘッドボックスの他端部４０ｃを係止する際に、ヘッドボックス４０の一端部４０ａと他端部４０ｃの両方（または主として他端部４０ｃ）が掛止部材３０を押圧可能な構成としたが、これに限定されるものではなく、ヘッドボックス４０の一端部４０ａが掛止部材３０を押圧可能な構成としてもよい。例えば、ヘッドボックス４０の一端部４０ａが掛止部材３０の規制部３０ｇを押圧しながら掛止部３０ａをヘッドボックス４０の他端部４０ｃから離れる方向に移動させ、ヘッドボックス４０を完全に回転させて保持位置に到達させたときに、掛止部材３０が前進して、ヘッドボックス４０の他端部４０ｃが掛止部３０ａに係止されるようにしてもよい。
【符号の説明】
【００３７】
１０  ブラケット
２０  ブラケット本体
２２ｃ  係止部
３０  掛止部材
３０ａ  掛止部
３０ｇ  規制部
３０ｈ  凹部
４０  ヘッドボックス（ブラインド支持枠）
４０ａ  一端部
４０ｃ  他端部
【図１】
2014109104.tif 000003
【図２】
2014109104.tif 000004
【図３】
2014109104.tif 000005
【図４】
2014109104.tif 000006
【図５】
2014109104.tif 000007